(57)【特許請求の範囲】
【請求項１】
対象の電磁波に対して位相変換した電磁波を作用させ、上記対象の電磁波の及ぼす電気的磁気的影響を減衰ないしは消滅させるための位相変換回路であって、
対象の電磁波を捕捉する第１のアンテナと、捕捉した電磁波の位相を変換する第１のタンク回路と、位相変換された上記電磁波の位相を再度変換する第２のタンク回路と、再度位相変換され対象の電磁波と波長がほぼ一致し、振幅の極性が逆である電磁波を出力する第２のアンテナとを具備した
電磁波の２回位相変換回路。
【請求項２】
第１のタンク回路と第２のタンク回路は、電磁波の位相を９０度進めるコイルと、位相を９０度遅らせるコンデンサーとを並列接続したもので、１８０度位相変換することを特徴とする請求項１記載の電磁波の２回位相変換回路。
【請求項３】
入力された電磁波に伴う電流又は電圧を増幅するために増幅器を備えた請求項１又は２記載の電磁波の２回位相変換回路。
【請求項４】
第１のタンク回路と第２のタンク回路は、電磁波を９０度位相変換するコンデンサー又はインダクターをそれらの間に有している
請求項２記載の電磁波の２回位相変換回路。
【発明の詳細な説明】
【技術分野】
【０００１】
本発明は、対象の電磁波に対して位相変換した電磁波を作用させ、上記対象の電磁波の及ぼす電気的磁気的影響を減衰ないしは消滅させるための電磁波の２回位相変換回路に関するものである。
【背景技術】
【０００２】
電磁波は、いわゆるオール電化の進行、ハイブリッドカーやパソコン等の普及、地デジ化への移行などの要因が重なり、依然として増え続けている。公的にはそれらの電磁波に実害はないとされているが、しかし、インターネットを通じて得られる情報は必ずしも電磁波に対して肯定的ではなく、海外では携帯電話は有害であるとする報道も少なくなく、電磁波の有害を論じる書籍も多数出版されている。また、ＷＨＯでも、有害との報告が発表されている。パソコンをすると肩がこる、目が疲れるとよく言われるが、電磁波により筋肉が硬くなり、脳血流量が低下することに原因を求める向きもある。
【０００３】
このように、電磁波の人体に対する影響が懸念されながら、殆ど規制されていないのは客観的な証拠が明らかにされていないことに原因がある。しかし、Ｏリングテストなど、電磁波は有害であると、即座に反応を知ることができる方法もある。Ｏリングテストは、大村恵昭博士の発明に係るもので、被験者に親指と他の指の指先を合わせて輪（即ち、Ｏリング）を作らせるとともに、他方の手を被験者の患部近くに置き、試験者の指で上記被験者の輪を作っている指を引き離そうと試みる間、被験者の輪を閉じようとする能力の変化を診て、患部の異常を探索する。同発明は、日本国内においては特許法の規定により特許されない技術に該当するが、米国特許第５１８８１０７号を取得して有名であり、その成果は著しいとも言える。
【０００４】
本発明者は、Ｏリングテストを検証するとともに、歯科医師としての立場における経験と見聞を経て、電磁波は人体に対して一定の好ましからざる影響があるのではないかとの知見を得、その結果本発明を開発するに至ったものである。開発研究の過程において見出した先行技術には、例えば、特開２００２−２９９８８０として開示された電磁波遮蔽用アンテナ素子及びこれを使用した電磁波遮蔽体の発明があり、同発明は被遮蔽電磁波の波長に対して十分に短い長さの微小ダイポールアンテナ素子と、同様に十分短い周長の微小ループアンテナとを組み合わせて円又は楕円偏波を発生させ、これらのアンテナを対となるように配置し各アンテナ素子の電流が、互いに逆位相となるように構成されている。同発明を追試した結果、一定の効果を認めたが、同時に効果の少ないことも認識された。そこで、本発明者は電磁波の電場、磁場を相殺する効果の増大を目的として研究を行い、本発明を完成した。
【０００５】
【特許文献１】特開２００２−２９９８８０
【発明の開示】
【発明が解決しようとする課題】
【０００６】
本発明は前記の点に着目してなされたもので、その課題は、電磁波の電場、磁場を相殺する効果の増大が可能な電磁波の２回位相変換回路を提供することである。また、本発明の他の課題は、人体に及ぼされる電磁波を相殺するために携帯が可能な装置に寄与する電磁波の２回位相変換回路を提供することである。
【課題を解決するための手段】
【０００７】
前記の課題を解決するため、本発明は対象の電磁波に対して位相変換した電磁波を作用させ、上記対象の電磁波の及ぼす電気的磁気的影響を減衰ないしは消滅させるための位相変換回路として、対象の電磁波を捕捉する第１のアンテナと、捕捉した電磁波の位相を変換する第１のタンク回路と、位相変換された上記電磁波の位相を再度変換する第２のタンク回路と、再度位相変換され対象の電磁波と波長がほぼ一致し、振幅の極性が逆である電磁波を出力する第２のアンテナとを具備して構成するという手段を講じたものである。なお、対象の電磁波とは、本発明の回路による処理の対象となる周波数の電磁波という程の意味である。
【０００８】
本発明は、対象の電磁波に対して位相変換した電磁波を作用させ、上記対象の電磁波の及ぼす電気的磁気的影響を減衰ないしは消滅するための位相変換回路に関するもので、この点において前記の先行技術と共通性を有する。本発明は、その上に、より確実な相殺効果を追求したものである。なお、電磁波の及ぼす電気的磁気的影響とは、ある電気機器の作動により電磁波が発生し、その電磁波により形成される電場及び磁場に伴う影響を意味しており、本発明の回路は上記電磁波に作用して電場及び磁場を減衰ないしは消滅させることを目的とする。
【０００９】
本発明は、そのため対象とする電磁波を捕捉する第１のアンテナと、捕捉した電磁波の位相を変換する第１のタンク回路と、位相変換された上記電磁波の位相を再度変換する第２のタンク回路と、再度位相変換された電磁波を出力する第２のアンテナとを具備している。ここで第１のアンテナ、第２のアンテナは、アンテナとして特別に作られたものだけではなく、素子又は回路の一部がアンテナとして機能するものを含み、電磁波の入力側が第１のアンテナ、位相変換後の出力側が第２のアンテナになる。また、本発明において位相変換とは、対象の電磁波と波長がほぼ一致し、振幅ないしは波面方向が逆の電磁波に変換することを言う。
【００１０】
対象の電磁波はアンテナで捕捉される。捕捉され、回路に流れる電流又は電圧、ないし位相変換された後の電流又は電圧は増幅器にて増幅することができる。上記第１のタンク回路と第２のタンク回路は、対象とする電磁波の位相変換を２度繰り返すための手段である。タンク回路は、コイルとコンデンサーから成る並列回路で、円偏波する。コイルとコンデンサーを用いて位相変換を行うもので、コイルは電流方向に対して右螺旋又は左螺旋コイルを使用することができる。Ｏリングテストは、電磁波の影響を受けてＯリングが開くことでマイナス（有害）であり、Ｏリングが閉じることでプラス（有益）であることを確認できるもので、マイナスの効果ではいわゆる肩こり、眼精疲労、筋肉の柔軟性喪失、脳血流量の低下等の症状が見られる。円偏波により電磁波はＯリングテストをプラス側に作用すると考えられる。
【００１１】
上記第１のタンク回路と第２のタンク回路は、それぞれに入力された電磁波の位相を、共に１８０度変換する構成を有していることが望ましい。その理由は、本発明の研究過程では前述のＯリングテストにより、効果の度合いを確認したことによる。実験の結果、コンデンサー、コイルの組み合わせにおいて、コンデンサーで９０度位相を遅らせ、コイルで９０度位相を進め、１８０度位相変換し、コンデンサーとコイルは並列とした場合に、Ｏリングが閉じ締まる傾向が最も強まった。
【００１２】
本発明において上記タンク回路とは、コイルとコンデンサーを並列接続したものを一組とする。そして、これらを二組、直列接続したものが、本発明の回路の基本回路である。なお、本発明の回路が捕捉した電磁波に伴い回路を流れる電流又は電圧を増幅する増幅器を備え得ることは前述のとおりである。また、本発明によれば、第１のタンク回路と第２のタンク回路は、電磁波を９０度位相変換するコンデンサー又はインダクターをそれらの間に有しているという構成を取ることができる。
【００１３】
本発明では、このように電磁波の２回位相変換操作が行なわれる。即ち、対象の電磁波がアンテナから回路に入力され、並列回路で上記電磁波が位相変換され、変換後の電磁波は変換前の電磁波と波長がほぼ一致し、振幅の極性が逆であるから相互に打ち消し合い、上記対象の電磁波の及ぼす電気的磁気的影響を減衰ないしは消滅することができる。
【発明の効果】
【００１４】
本発明は以上のように構成されかつ作用するものであるから、対象とする電磁波の位相を２回変換することによって、電磁波の及ぼす電気的磁気的影響を減衰ないしは消滅するという顕著な効果を得ることできる。また、本発明によれば、人体に及ぼされる電磁波のエネルギーを減衰ないしは消滅させるために、携帯が可能な小型の装置の実現に寄与する電磁波の２回位相変換回路を提供することができる。
【発明を実施するための最良の形態】
【００１５】
以下図示の実施形態を参照して本発明をより詳細に説明する。図１は本発明に係る電磁波の２回位相変換回路１０の例１に関するもので、１１は対象とする電磁波を捕捉する第１のアンテナ（入力アンテナ）、１２は捕捉した電磁波に伴い、回路を流れる電流又は電圧を増幅する増幅器、１３はその位相を変換する第１のタンク回路、１４は位相変換された上記電磁波の位相を再度変換する第２のタンク回路、１５は再度位相変換された電磁波を出力する第２のアンテナ（出力アンテナ）をそれぞれ示している。上記増幅器１２は、広帯域増幅ＩＣから成る。例１における第１のアンテナ１１及び第２のアンテナ１５は、特別に作られたアンテナに相当する。
【００１６】
第１のタンク回路１３と第２のタンク回路１４は、コイルから成るインダクター１６、１６′とコンデンサー１７、１７′を並列接続したものを一組とし、これらを二組、直列に接続したものである。上記インダクター１６、１６′のインダクタンスと、コンデンサー１７、１７′の容量は等しいものとし、それぞれに入力された電磁波の位相を１８０度変換するように、素子の位置が逆の配置を取っている。符号１８はカップリングコンデンサー、１９は発光ダイオードをそれぞれ示す。
【００１７】
このように構成されている例１の２回位相変換回路１０では、第１のアンテナ１１で対象の電磁波が捕捉され、その電磁波は増幅器１２で増幅された後と波長がほぼ一致し、振幅の極性が逆であるから相互に打ち消し合い、電場、磁場は減衰ないしは消滅することとなる。第１のタンク回路１３により１８０度位相変換され、かつまた、第２のタンク回路１４により１８０度位相変換される。よって、第２のアンテナ１５から出力された電磁波は、対象の電磁波と波長がほぼ一致し、振幅の極性が逆であるから相互に打ち消し合い、上記対象の電磁波の及ぼす電気的磁気的影響は減衰ないしは消滅することとなる。
【００１８】
例１では、タンク回路１３、１３′としてコイルから成るインダクター１６、１６′とコンデンサー１７、１７′を並列接続したものを一組とした例を示したが、その基本形は図２に示した通りである。図３に上記タンク回路対をセメント２０で固めて一体物とし、入力アンテナ１１を接続した例を示す。二つのコイルから成るインダクター１６、１６′の巻き数は同じである。セメント２０で固めたのは、ユニット化回路としての使用を可能にするためである。さらに、これに増幅器１２を組み込むとともに、他端に出力アンテナ１５を接続し、本発明の簡略な回路を構成した例が図４である。
【００１９】
コイルには右螺旋コイル（いわゆる右巻きコイル）と左螺旋コイル（いわゆる左巻きコイル）の別があり、発生する磁力線の向きが反対になることは知られている。図５では、右巻きコイル１６Ｒ、左巻きコイル１６Ｌとして区別している。本発明もこのことを利用して、素子の配置を逆にしない構成を取り得るので、その例を示したものである。図６は入力アンテナ１１を接続した例を示す。この例の場合、コンデンサーはアンテナの導線の間に誘電体を近接配置して構成することができる（図示せず）。
【００２０】
例１の回路ではコイルから成るインダクター１６、１６′とコンデンサー１７、１７′を並列接続している。しかし、直列接続も当然可能であり、その図７に例を示す。図７ではコンデンサー１７、１７′とコイルから成るインダクター１６、１６′が順に直列接続されており、セメント２０で固めて一体物となっている。この例において、直列接続の両端子にアンテナ１１、１５を接続したものが図８である。
【００２１】
図９は、右巻きコイル１６Ｒ、左巻きコイル１６Ｌを交互に直列接続した例を示す。このものも、全体がセメント２０で固めて一体物としている。なお、タンク回路に利用に関する発明者の理解は、インダクターで、位相が９０度遅れ、また、もう一つのインダクターで９０度遅れ、合わせて１８０度位相が遅れる。コンデンサーで９０度位相が進み、もう一つのコンデンサーで９０度位相が進み、合わせて１８０度位相が進む。これにより、回路を流れる電磁波は、３６０度、右回り、左回りの円偏波ができることになる。本発明者は、経験から、右回り、左回りの回転３６０度円偏波が理想的と理解し、これを電子部品ではなく、コイルで、同じように右回り、左回り３６０度円偏波可能としたことを特徴とする本発明を創作したものである。
【００２２】
理論的には、ヘリカルアンテナ、円偏波と言われている、電磁波がコイルを通過することを円偏波ということで、右螺旋なら右回りの円偏光になると説明することができる。位相変換において、コイル、逆コイルを通過すると、電磁波の電場磁場が、位相変換され、それを、コイル、逆コイル（右螺旋、左螺旋）を通過することにより、右回転偏偏波と左回転偏光波になり、電磁波は波長がほぼ一致し、振幅の極性が逆であるから相互に打ち消し合い、対象の電磁波の及ぼす電気的磁気的影響は減衰ないしは消滅することとなる。また、Ｏリングテストとの関係では、右、左円偏光において、Ｏリングが最も締まる傾向になるという結果を得ていることを付言する。
【００２３】
本発明の回路においてそれが周辺の電磁波を入力し、出力する目的を有することは言うまでもないが、変換するだけでは、例えば１０センチメートル程度の極近傍界との間でしか作用が得られないため、回路に組み込むか、持ってないといけない（身につける）が、特別に作られたアンテナの併用により、例えば数メートルから１０メートル程度離れた位置にまで作用を得ることができる。図１０において、２１は導線、２２は絶縁体、２３は誘電体を示しており、このようなアンテナは数メートル程度までの近距離用電磁波の入出力を可能とするために使用される。なお、図２、図３、図５、図７及び図９の各例の回路は素子又は回路の一部がアンテナとして機能するもので、特別に作られたアンテナを具備しない例に相当し、図４、図６、図８、図１１、図１２、図１３及び図１４のものは図１と同じく特別に作られたアンテナを具備する例である。
【００２４】
さらに、上記素子を使用した本発明の回路の変形例について説明する。図１１に示した本発明の例２の回路２４は、入力アンテナ１１、増幅器１２、ＬＣ並列回路から成るタンク回路１３、１４及び出力アンテナ１５を具備しており、円偏波を得ることができる。以下を参照してより有効である。図１２に示した本発明の例３の回路２５は、入力アンテナ１１、増幅器１２、ＬＣ並列回路から成るタンク回路１３、１４、電源回路２６及び出力アンテナ１５を具備しており、電源回路２６に物質固有の電磁波を信号として入力し、所定の位相変換するもので、いわば転写器の原理であり、位相変換の後、増幅して出力アンテナ１５から出力する。
【００２５】
図１３は、パッチアンテナと呼ばれる右旋アンテナ２７、左旋アンテナ２７′から成る平面アンテナ２８の例を示しており、第１のタンク回路と第２のタンク回路から成る回路の等価回路とみなし得るものである。２９はワイヤレスランアンテナを示しており、平面アンテナ２８と接続されている。このアンテナ２８、２９を用いると、右円偏波、左円偏波を、電磁波を入力し、Ｏリングが閉まるかを確認することができる。図１４は、入力アンテナ（ワイアレスラン）１１で電磁波を捕捉し、増幅したものを、右偏波左偏波の偏偏波に変える本発明の例４の回路３０を示すものであり、パッチアンテナ２８で出力することにより、対象の電磁波を右螺旋、左螺旋の円偏波に変換し、Ｏリングテストがマイナスのもの（アマルガム、水銀）を持つと開くもので、電磁波（マイナス）の有害の程度打ち消すことができる。
【００２６】
図１５は、図１に示した本発明に係る電磁波の２回位相変換回路１０を変形した例５に関するもので、基本的構成は例１のものと同一である。即ち、１１は対象とする電磁波を捕捉する第１のアンテナ（入力アンテナ）、１２は捕捉した電磁波に伴い、回路を流れる電流又は電圧を増幅する増幅器、１３はその位相を変換する第１のタンク回路、１４は位相変換された上記電磁波の位相を再度変換する第２のタンク回路、１５は再度位相変換された電磁波を出力する第２のアンテナ（出力アンテナ）をそれぞれ示している。上記増幅器１２は、広帯域増幅ＩＣから成る。例１における第１のアンテナ１１及び第２のアンテナ１５は、特別に作られたアンテナに相当する。
【００２７】
また、第１のタンク回路１３と第２のタンク回路１４は、夫々コイルから成るインダクター１６、１６′とコンデンサー１７、１７′を並列接続したものを一組とし、これらを二組、直列に接続したものである。上記インダクター１６、１６′のインダクタンスと、コンデンサー１７、１７′の容量は等しいものとし、それぞれに入力された電磁波の位相を１８０度変換するように、素子の位置が逆の配置を取っている。符号１８はコンデンサー、１９は発光ダイオードをそれぞれ示す。上記の基本的構成に加えて、例５では第１のタンク回路１３と第２のタンク回路１４の間に、コンデンサー１８′を配置した構成を有する。なお、コンデンサー１８′はインダクターに替えても同等の効果が得られる。
【００２８】
本発明に係る例５の電磁波の２回位相変換回路１０′によれば、第１のタンク回路１３によって第一回目の１８０度位相変換が行なわれた後、コンデンサー１８′によって９０度の位相変換が行なわれ、さらに、第２のタンク回路１４において第二回目の１８０度位相変換が行なわれる。この結果、例５の回路では、コンデンサー１８′により対象の電磁波に対して作用がなされる。このように構成された本発明の回路は、これを適用した電磁波相殺装置を人体に付けるか、機械に付着し、或いは電磁波を発生する機器の近くに配置すること等により、入力してくる電磁波に、位相変換した電磁波を作用させ、対象の電磁波の及ぼす電気的磁気的影響を減衰ないしは消滅させることができる。特に、増幅器を具備することにより、アンテナより入力した周辺電磁波に伴う電流又は電圧を回路上のインダクター、コンデンサー、コイル、逆コイルで変換し、増幅して出力することができるので、より大きい効果が得られる。特に、アンテナを使用することにより、数十メートルに及ぶ距離にあるオフィス、家庭、治療院、病院等に対して、広範囲に電磁波を変換できる可能性がある。
【産業上の利用可能性】
【００２９】
本発明の位相変換回路には様々な適用方法が考えられ、例えばナノテクノロジー技術により極微小型に形成し、これを繊維に組み込んだり、セメントなどの住宅素材に練り込んだりというような利用方法も可能である。
【図面の簡単な説明】
【００３０】
【図１】本発明に係る電磁波の２回位相変換回路の例１を示す回路図である。
【図２】同上の回路の一部を示す回路図である。
【図３】同上のものにアンテナを接続した回路図である。
【図４】同じく簡略な本発明の回路を構成した回路図である。
【図５】同じく右巻きコイルと左巻きコイルの配置例を示す回路図である。
【図６】同上のものにアンテナを接続した回路図である。
【図７】同じくコイルとコンデンサーを直列接続した例を示す回路図である。
【図８】同上のものにアンテナ接続した回路図である。
【図９】同じく右巻きコイルと左巻きコイルの配置例を示す回路図である。
【図１０】同じくアンテナの例を示す回路図である。
【図１１】同じく本発明の例２を示す回路図である。
【図１２】同じく本発明の例３を示す回路図である。
【図１３】同じくアンテナの例を示す回路図である。
【図１４】同じく本発明の例４を示す回路図である。
【図１５】同じく本発明の例５を示す回路図である。
【符号の説明】
【００３１】
１０、１０′  電磁波の２回位相変換回路の例１
１１  第１のアンテナ（入力アンテナ）
１２  増幅器
１３  第１のタンク回路
１４  第２のタンク回路
１５  第２のアンテナ
１６、１６′  コイル
１７、１７′  コンデンサー
１８、１８′  コンデンサー
１９  発光ダイオード
２０  セメント
２１  導線
２２  絶縁体
２３  誘電体
２４  電磁波の２回位相変換回路の例２
２５  電磁波の２回位相変換回路の例３
２６  電源回路
２７  右旋アンテナ、２７′  左旋アンテナ
２８  パッチアンテナ
２９  ワイヤレスランアンテナ
３０  電磁波の２回位相変換回路の例４
【図１】
0006033599.tif 000002
【図２】
0006033599.tif 000003
【図３】
0006033599.tif 000004
【図４】
0006033599.tif 000005
【図５】
0006033599.tif 000006
【図６】
0006033599.tif 000007
【図７】
0006033599.tif 000008
【図８】
0006033599.tif 000009
【図９】
0006033599.tif 000010
【図１０】
0006033599.tif 000011
【図１１】
0006033599.tif 000012
【図１２】
0006033599.tif 000013
【図１３】
0006033599.tif 000014
【図１４】
0006033599.tif 000015
【図１５】
0006033599.tif 000016